(57)【要約】【課題】  ゴム手袋干し具の全長を大幅に短くし、外部の支持部も不要にし、コンパクトにしたゴム手袋干し具を提供する。【解決手段】  ゴム手袋の内部に挿入してゴム手袋を干すゴム手袋干し具であって、このゴム手袋干し具は基部と、この基部から延在する指部とから構成され、指部の先端近傍には磁石を設け、磁石が磁着できる場所に自由に干すことができることを特徴とするゴム手袋干し具。【選択図】図３
2019072006.tif 000002
【特許請求の範囲】
【請求項１】
ゴム手袋の内部に挿入してゴム手袋を干すゴム手袋干し具であって、このゴム手袋干し具は基部と、この基部から延在する指部とから構成され、指部の先端近傍には磁石を設けたことを特徴とするゴム手袋干し具。
【請求項２】
請求項１のゴム手袋干し具は、この磁石を指部の先端近傍の裏表の両側に磁極が来るように配置したことを特徴とするゴム手袋干し具。
【発明の詳細な説明】
【技術分野】
【０００１】
この発明は、主として家庭用に使用するゴム手袋を干す為のゴム手袋干し具に関する。ここで、ゴム手袋とは、天然ゴムだけでなく、エラストマー、軟質プラスチック等、柔軟で防水性のある材料でできた手袋を含むものとする。
【背景技術】
【０００２】
従来、調理や洗濯等の作業に使用する防水性を有するゴム手袋は、ゴム手袋を洗濯した後に乾かす際、ゴム手袋は防水してある為、ゴム手袋内部が乾きにくかった。特に、図８の様に、ゴム手袋の指先を下にすると、指先内部に水が溜まるため、指先を上にして干す必要があった。
【先行技術文献】
【特許文献】
【０００３】
【特許文献１】特開２０００−１４９９０
【特許文献２】実用新案登録３１１４４８７
【特許文献３】特開２００２−３６０９９３
【特許文献４】実開平６−７６９８
【特許文献５】特開２０１５−１７３９７１
【発明の概要】
【発明が解決しようとする課題】
【０００４】
この為、指先を上にして、水が指先内部に溜まらないようにした、特許文献１から特許文献５が開示されている。しかしながら、これらの技術は、ゴム手袋内部の指先から袖口部の全長に渡って干し具を挿入し、袖口部からゴム手袋外部に支持部を延在させ、支持台や釣り具を設けている。この為、干し具はゴム手袋の全長分だけでなく、外部に嵩張る支持部を設けなければならず、プラスアルファの長さが必要であった。
【０００５】
ゴム手袋は袖口からの水の浸入を押えるため、袖口を長く取ってある為、通常の手袋より長い全長を有している。この為、従来のゴム手袋干し具は、全長が長く、使用中は嵩張って邪魔になり、非使用時も嵩張る為、収納場所にも困っていた。
この為、このような技術に関してはニーズがあるものの、実際の使用には問題があり、普及していなかった。
【課題を解決するための手段】
【０００６】
ゴム手袋の内部に挿入してゴム手袋を干すゴム手袋干し具であって、このゴム手袋干し具は基部と、この基部から延在する指部とから構成され、指部の先端近傍には磁石を設けたことを特徴とするゴム手袋干し具。
【発明の効果】
【０００７】
上記の問題点を解決し、ゴム手袋干し具の全長を大幅に短くし、外部の支持部も不要にし、コンパクトにしたゴム手袋干し具を提供することができる。
【図面の簡単な説明】
【０００８】
【図１】第一の実施例のゴム手袋干し具を示す正面図である。
【図２】第一の実施例のゴム手袋干し具の六面図である。背面図は正面図と対称に表れる。
【図３】第一の実施例のゴム手袋干し具の使用状態を示す正面図である。
【図４】第二の実施例のゴム手袋干し具の六面図である。背面図は正面図と対称に表れる。
【図５】第一の実施例のゴム手袋干し具の磁石付近の拡大図である。
【図６】第三の実施例のゴム手袋干し具の六面図である。背面図は正面図と対称に表れる。
【図７】発明の効果を説明する図である。
【図８】従来技術
【図９】第四の実施例のゴム手袋干し具の六面図である。背面図は正面図と対称に表れる。
【発明を実施するための形態】
【０００９】
ゴム手袋の内部に挿入してゴム手袋を干すゴム手袋干し具であって、このゴム手袋干し具は基部と、この基部から延在する指部とから構成され、指部の先端近傍には磁石を設けたことを特徴とするゴム手袋干し具。  
上記のゴム手袋干し具は、この磁石を指部の先端近傍の裏表の両側に磁極が来るように配置したことを特徴とするゴム手袋干し具。
【実施例】
【００１０】
図１、図２、図３により、第一の実施例のゴム手袋干し具を説明する。ゴム手袋干し具１０は、ゴム手袋５０の内部に挿入してゴム手袋５０を干すゴム手袋干し具１０であって、ゴム手袋干し具１０は基部２０と、基部２０から延在する指部３０とから構成されている。基部２０と指部３０は、プラスチックの薄板で一体に形成されているが、金属板や金属ワイヤを成形してもよい。
【００１１】
図５にも示すように、中央の指部３０の先端近傍には、貫通孔３１が設けられ、貫通孔３１には磁石４０が圧入されている。必要に応じて、貫通孔３１と磁石４０は接着剤で接着するか、Bの様に留め具３２を両側から圧入して固定する。磁石４０は、ネオジューム等の希土類磁石が望ましい。
【００１２】
図３のように、使用にあたっては、ゴム手袋干し具１０は、ゴム手袋５０の内部に挿入され、指部３０はゴム手袋の指の内部に挿入される。このようにすると、ゴム手袋５０の指は折れ曲がることなく直立する。この状態で鉄やステンレス等の磁石が磁着する材料に磁着させることができる。磁石４０は、指先近傍に設けられているので、重力により指先は上方に来て、水は下方にスムーズに排出される。
【００１３】
なお、適当に磁着する場所がない場合は、ゴム手袋５０にゴム手袋干し具１０を挿入したまま、通常の洗濯バサミで物干し竿等に挟むことも可能である。あるいは、磁着可能な材料を粘着剤や吸盤に取り付けて補助材とすることができる。この場合でも、利便性は少し落ちるが、指先を上方にして干すという目的は達成可能である。
【００１４】
図４の第二の実施例のゴム手袋干し具１０は、ゴム手袋干し具１０の親指を内側に折り曲げたものであり、実際のゴム手袋の形状に合い易い特徴がある。この図は右手用であり、左手用は対称である。なお、第一の実施例は左手、右手共通である。
【００１５】
図６の第三の実施例のゴム手袋干し具１０は、ゴム手袋干し具１０の親指側と小指側を内側に折り曲げたものであり、ゴム手袋干し具１０の幅を小さくし、ゴム手袋５０に挿入し易くしたものである。又、幅方向に力を加えると、基部２０は湾曲して幅方向に小さくして、さらに挿入を容易とすることができる。同時にゴム手袋干し具１０の長手方向の剛性を上げる効果もある。この図は右手用であり、左手用は対称である。
【００１６】
図７は、この発明の一効果を説明する図であり、Aはゴム手袋５０を脱ぐ際、ゴム手袋５０が裏返る状態を示している。ゴム手袋５０は、気密性があるので、脱ぐ際は内部が負圧になり脱ぎ難い。無理に脱ぐと、ゴム手袋５０が裏返ってしまい、１０本の指を元に戻すのに手間がかかり煩わしい。
しかし、Bの様にゴム手袋干し具１０を差し込むと、指の部分に空気が入り込み、内部の負圧が解消する。この結果、ゴム手袋５０は裏返らずにスムーズに脱ぐことができる。ゴム手袋干し具１０は、そのままゴム手袋５０の中に残置すれば、本来の干し具として使用することができる。
【００１７】
この様に、ゴム手袋干し具１０を挿入するという単一の操作で、ゴム手袋５０を裏返さずにスムーズに脱ぐことができると同時に、本来のゴム手袋５０を上手く干すという効果の両方を奏することができる。なお、ゴム手袋５０の乾燥後は、ゴム手袋干し具１０は、ゴム手袋５０から外すことは言うまでもない。
【００１８】
図９は、第四の実施例のゴム手袋干し具１０であり、ワイヤで形成したものである。
【産業上の利用可能性】
【００１９】
この発明は、調理・洗濯等の家庭用だけでなく、その他のゴム手袋を使用する産業にも利用が可能である。
【符号の説明】
【００２０】
１０はゴム手袋干し具
２０は基部
３０は指部
３１は貫通孔
３２は留め具
４０は磁石
５０はゴム手袋
６０は手
【図１】
2019072006.tif 000003
【図２】
2019072006.tif 000004
【図３】
2019072006.tif 000005
【図４】
2019072006.tif 000006
【図５】
2019072006.tif 000007
【図６】
2019072006.tif 000008
【図７】
2019072006.tif 000009
【図８】
2019072006.tif 000010
【図９】
2019072006.tif 000011